(57)【要約】【課題】本発明は、多様な部材を用いることなく発光装置の出し入れ自在な緊締バンドタイプの靴を提供するものである。【解決手段】本発明の発光靴１は、バンドの止着部３に発光装置９を着脱自在に収納する靴であって、止着部が発光装置を収納するための裏側の開口した透明ケース８を備えてるとともに透明ケースの裏側に封止体６が添着されてなり、  封止体は、周囲が大きい緊締用面ファスナー６１と周囲が小さい封止用面ファスナー６２とからなり、緊締用面ファスナーが透明ケースの裏側に添着されてファスナー面を側胛被に向けるとともに発光装置を出し入れするための出入部を有し、封止用面ファスナーが前記出入部の少なくとも一部を覆って緊締用面ファスナーに止着されるものである。【選択図】  図１
2005013314.tif 000002
【特許請求の範囲】
【請求項１】
一方の側甲被に固定され他方の側甲被に止着するバンドを用いて甲前部を緊締するタイプの靴において、
バンドの止着部は、発光装置を収納するための裏側が開口した透明ケースと、透明ケース内に発光装置を保持するための封止体とからなり、
封止体は、周囲が大きい緊締用面ファスナーと周囲が小さい封止用面ファスナーとからなり、緊締用面ファスナーが透明ケースの裏側に添着されてファスナー面を側甲被に向けるとともに発光装置を出し入れ自在にするための出入部を有し、封止用面ファスナーが前記出入部の少なくとも一部を覆って緊締用面ファスナーに止着されることにより発光装置を透明ケース内に保持するものであることを特徴とするバンドに発光装置を備えた靴。
【請求項２】
封止体が、緊締用面ファスナーに透明ケースの開口部の縁に沿いかつ一部を残して設けた切り込みにより出入部を形成したものであるとともに、封止用面ファスナーの一端側を前記出入部の外側かつ切り込み側に直接的あるいは間接的に緊締用面ファスナーに接合してあることを特徴とする請求項１に記載のバンドに発光装置を備えた靴。
【請求項３】
バンドの止着部がリングを介してバンドの他の部分に揺動可能に連結されていることを特徴とする特徴とする請求項１または２に記載のバンドに発光装置を備えた靴。
【発明の詳細な説明】
【０００１】
【発明の属する技術分野】
本発明は、発光装置の着脱が容易にできる靴に関する。
【０００２】
【従来の技術】
従来より、歩行者が夜間に外出する際走行中の車両にその存在を知らせて事故を未然に防ぐために、発光装置を取り付けた靴が実施されている。このような発光装置を備えた靴においては、靴の洗濯時は、発光装置が破損しないように発光装置を靴から取り外して洗濯を行なうようにしている。発光装置の着脱を合理的に行うものとして、図７および図８に示すような緊締の構造が開示されている。（例えば、特許文献１参照）
【０００３】
【特許文献１】
特開平８−３３２１０２号公報
【０００４】
特許文献１に示された発光装置を備えた靴は、ケース部材を備えた保持カバー部材の上縁部の外面および内面に面ファスナーが取り付けられ、保持カバー部材の内面側には、外面に面ファスナーが取り付けられた羽根部が設けられ、保持カバー部材はその下縁部で羽根部に固着されており、ベルト（バンド）部材の内面に面ファスナーが取り付けられた構造を有しいるものである。そして、甲前部の緊締は、ケース部材に発光ユニットを装入し、羽根部と保持カバー部材とを重合して発光ユニットが脱落しないようにし、ベルト部材を保持部材の上縁部に係合することで行うことができる。また、発光ユニットの取り外しは、その逆の手順で簡単に行うことができるため極めて取り扱いの良い靴となる。
しかしながら、このような靴の作製には多様な部材が必要であり、必然的にコストの高いものになってしまう。
【０００５】
【発明が解決しようとする課題】
本発明は、多様な部材を用いることなく発光装置の出し入れ自在な緊締バンドタイプの靴を提供するものである。
【０００６】
【課題を解決するための手段】
本発明のバンドに発光装置を備えた発光靴は、一方の側甲被に固定され他方の側甲被に止着するバンドを用いて甲前部を緊締するタイプの靴において、バンドの止着部に発光装置を有するものである。止着部は、基本的に、発光装置を収納するための透明ケースと側甲被に着脱自在するための封止体で構成される。透明ケースは裏側が開口しておりこの開口部より発光装置を収納して表側で発光装置の光りを視認できるようにしている。封止体は、発光装置を出し入れするための出入口を有するとともに、裏側の開口した透明ケースの裏側に添着されることによりバンドを止着部において側甲被に着脱自在にならしめるものである。そして封止体は、側甲被に止着するための周囲が大きい緊締用面ファスナー、および透明ケースから発光装置が脱落しないように前記出入口を閉じるための周囲が小さい封止用面ファスナーからなる。なお、周囲の大小とは、単に、用いる面ファスナーの周囲の大きさを言うのではなく、止着部の裏面（側甲被と止着する側の面）上での周囲の大きさを言う。緊締用面ファスナーは、透明ケースの裏側に添着されてファスナー面を側甲被に向けるとともに発光装置を出し入れ自在にする出入部を有する。出入部は、前記面ファスナーに一定範囲の切り込みを入れたり、一定範囲切り落としたりして形成する。そして、封止用面ファスナーが、前記出入部の少なくとも一部を覆って緊締用面ファスナーの出入部の周囲に止着されることにより、発光装置を透明ケース内に脱落しないように保持する構成である。このような構成により、すなわち、止着部の裏面は、適宜の面積分だけファスナー面を甲被に向けて臨ませることができるので、止着部を側甲被に止着して甲前部を緊締することが可能となる。
また、封止体は、緊締用面ファスナーに透明ケースの開口部の縁に沿いかつ一部を残して設けた切り込み（例えば弧状ないしＶ字状の）により出入部を形成したものであるとともに、封止用面ファスナーの一端側を前記出入部の外側かつ切り込み側に直接的あるいは間接的に緊締用面ファスナーに接合してあり、その他端側を出入部の外側の少なくとも一部を覆うように緊締用面ファスナーに止着することによって発光装置を透明ケース内に保持するものであることが好ましい。このような構成により、出入口を広くできて発光装置の出し入れが容易となるとともに、緊締用面ファスナーが甲被に臨む面積割合を増加させてバンドの甲被への止着力を高めることが可能となる。
さらに、止着部は、リングを介してベルトの他端側に連結した構成とすることが好ましい。このような構成により、発光装置の出し入れの際、作業しやすい方向に止着部を向けられる。
【０００７】
【発明の実施の形態】
以下、本発明を具体的に説明する。
本発明のベルトに発光装置を備えた靴（以下単に発光靴という）１は、図１に示すように、甲前部２をバンドによって緊締するタイプである。バンドは、靴内側の甲被に固着した固定部（不図示）と靴外側の甲被５の適宜の位置に設けた甲被側の面ファスナーに着脱する止着部３と両者の中間の横架部４とからなるものである。止着部３は、穴の開いた保持部材７に透明ケース８を挿嵌して透明ケース８を表側に露出するとともに、保持部材７や透明ケース８に封止体６を縫着などで添着して側甲被５に甲被側面ファスナーを介して着脱可能にしてある。そして、透明ケース８に発光装置９を収納保持して発光装置の光りを外部から視認できるようにしたものである。
なお、止着部３の構成として、上記の説明では、封止体６を添着するための添着部の面積を拡大するために保持部材７を用いたが、保持部材７は必ずしも必要ではなく、例えば透明ケース８の鍔部８２の面積を拡大して封止体６を添着するようにしても良い。
【０００８】
透明ケース８は、合成樹脂にて軟質ないし硬質に形成され、図６に示すように、側壁８３と鍔部８２と表面部８４とからなり、例えば、ハット（帽子）を上下反転したような形状のものが好適に使用される。鍔部８２は保持部材７と透明ケース８とを縫着や接着などで固着する際に利用される部分である。また、鍔８２は緊締用面ファスナー６１と透明ケース８とを縫着などで添着する際に利用される部分でもある。
透明ケースの開口部８１は側壁８３と表面部８４によって取り囲まれた空間部分を言い、発光装置を収納する部分である。この開口部の大きさは発光装置の大きさによって適宜決められる。
なお、保持部材７を用いずに止着部３を形成する場合には、透明ケース３の鍔８２を大きくして緊締用面ファスナー６１を十分に添着できるようする。
【０００９】
封止体６は、透明ケース８に収納した発光装置９が外に飛び出さないように透明ケースの開口部８１を塞ぐとともに、甲被５にベルトの止着部３を着脱可能に止着させるという機能を有するもので透明ケースの裏側に添着されるものである。
具体的には、封止体６は、周囲が大きい緊締用面ファスナー６１と周囲が小さい封止用面ファスナー６２とからなる。緊締用面ファスナー６１は、得られる止着体３の外形形状とほぼ同じ形状にされて透明ケース８の裏側にファスナー面を甲被５に向けて添着される。そして、最終的には、そのファスナー面は、甲被に止着部３を止着せしめる部分と封止用面ファスナー６２を止着せしめる部分になる。また、緊締用面ファスナー６１には、透明ケースの開口部８１に通じる出入部６３が設けられて発光装置９を自由に取り出せるようにしている。封止用面ファスナー６２は、ファスナー面を緊締用面ファスナーに６１向けて、緊締用面ファスナーの周縁よりはみ出さないように、かつ緊締用面ファスナーの出入部の少なくとも一部を覆うように緊締用面ファスナーに止着されて発光装置９を透明ケース８内に保持できるようにしている。
また、緊締用面ファスナー６１と封止用面ファスナー６２とは、封止用面ファスナーの一端側で直接的又は他部材を介して間接的に縫着などで接合していることが好ましい。両者を接合してあれば、封止用面ファスナーの位置決めの必要がなく、また単に封止用面ファスナー６２をめくるだけで発光装置を取り外すことができる。
【００１０】
止着部の裏面における封止用面ファスナーの大きさは、止着部の面積より小さくなければ、止着部を甲被に止着できないのはもちろんであるが、緊締用面ファスナーがある程度露出するようでないと、甲被に対する所望の止着力が得られないので、止着部の面積の７０％以下の大きさにすることが好ましく、５０％以下にすることがより好ましい。言い換えれば、止着部における緊締用面ファスナーが甲被に臨む面積（以下緊締面積率と言う）を３０％以上、好ましくは５０％以上とする。なお、止着部の面積とは止着部の裏面（甲被と止着する側の面）の面積を言う。ここで、前記止着力を得るために封止用面ファスナーの甲被側に甲被に止着するタイプの面ファスナーを縫着しておくことも考えられるが、ベルトの止着部を甲被から外す際に、甲被側の面ファスナーに封止用面ファスナーが取られてしまうので良くない。
【００１１】
緊締用面ファスナーが甲被に臨む面積を増大するには、図４に示すように、緊締用面ファスナーに透明ケースの開口部の縁に沿いかつ一部を残して設けた切り込み６４により出入部６３を形成し、封止用面ファスナー６２の一端側を前記出入部６３の外側かつ切り込み側に直接的あるいは間接的に緊締用面ファスナー６１に接合し、緊締用面ファスナーの出入部６３の切り込み先端部を覆って緊締用面ファスナー６１に封止用面ファスナー６２を止着するようにする。このような構成にすれば、発光装置９の出入口６６も広くできて都合がよい。
【００１２】
緊締用面ファスナーは、基材にフックを多数密生させた雄タイプの面ファスナーでも、パイル状の起毛を多数有するパイル生地等の雌タイプの面ファスナーでもどちらでも良いが、封止用面ファスナーを用いて出入部を封止する際に、封止用面ファスナーを雄タイプで行った方が止着させやすいことから、好ましくは緊締用面ファスナーに雌タイプを用いる。
ここで、言うまでもないが、封止用面ファスナーおよび甲被側の面ファスナーは、緊締用面ファスナーに止着可能なタイプを用い、それぞれのファスナー面を緊締用面ファスナーに向かうようにする。
【００１３】
また、バンドの止着部３は、バンドの他の部分に対してリング１０を介して揺動可能に連結されている。例えば図１に示すようにバンドの止着部自体にリング１０を取り付け、横架部４をリング１０を通して連結することにより止着部は揺動可能になる。揺動可能とすることで、発光装置の装着や取り外しの際、作業のしやすい方向に止着部を向けられて都合がよい。
【００１４】
発光装置９は、電池、発光装置、スィッチング回路等を含んだもので、特に本発明の場合は、振動を感知して発光するタイプを用いることが好ましい。
【００１５】
【実施例】
（実施例１）
図６に示すように、厚さ約０．５ｍｍの半硬質の透明ケース８を用い、穴の開いた合成皮革性の蝶の羽根形状の保持部材７にこの透明ケースを挿嵌し、鍔部８２にて両者を縫着した。次に、合成樹脂製のリングを保持部材の端部に仮着するとともに保持部材と同一の形状の緊締用面ファスナー６１を透明ケースの裏側に保持部材に合わせて仮着後、縫着によってこれらを一体化させた。そして、透明ケースの開口部の縁に沿って緊締用面ファスナー６１のほぼ中央部を切り落として、緊締用面ファスナー６１に出入部６３を形成した（図２（ｃ）参照）。その後、緊締用面ファスナー６１と略相似形状で７０％の大きさの封止用面ファスナー６２を、出入部を完全に覆うように緊締用面ファスナー６１に止着し、その一端側で縫着６５して止着部３を作製した（図２（ａ）参照）。このものの緊締面積率は３０％であった。
この止着部３に横架部４をリング１０を通して連結させることで止着部が揺動可能なベルトを作製し、ベルトを靴本体に取り付け、振動感知タイプの発光装置を装着して、図１に示すような発光靴１を作製した。この靴１は、図２（ｂ）および図３に示すように、封止用面ファスナー６２の他端側をめくることによって発光装置の収納や取り出しを行うことができ、さらに止着部が、リングを介して連結してあるので、発光装置の収納や取り出し作業の行いやすい向きに止着部を向けてそれぞれの作業が行える。
（実施例２）
図６に示すように、厚さ約０．５ｍｍの半硬質の透明ケース８を用い、穴の開いた合成皮革性の蝶の羽根形状の保持部材７にこの透明ケースを挿嵌し、鍔部８２にて両者を縫着した。次に、合成樹脂製のリングを保持部材の端部に仮着するとともに保持部材と同一の形状の緊締用面ファスナー６１を透明ケースの裏側に保持部材に合わせて仮着し、この際、図５に示すように封止用面ファスナーの一端側を保持部材７と緊締用面ファスナー６１に挟んで、これらを縫着によって一体化させた。そして、透明ケースの開口部の縁に沿いかつ一部を残した弧状の切り込み６４を設けて出入部６３を形成して止着部３を作製した（図４（ａ）参照）。緊締用面ファスナー上における封止用面ファスナーの大きさは、緊締用面ファスナーに対して３０％であった。すなわち緊締面積率は７０％であった。
この止着部３に横架部４をリング１０を通して連結させることで止着部が揺動可能なベルトを作製し、ベルトを靴本体に取り付け、振動感知タイプの発光装置を装着して、図１に示すような発光靴１を作製した。この靴１は、図４（ｂ）および図５のように、封止用面ファスナー６２の他端側をめくることによって発光装置の収納や取り出しを行うことができ、また、止着部が、リングを介して連結してあるので、発光装置の収納や取り出し作業の行いやすい向きに止着部を向けてそれぞれの作業が行える。さらに、実施例１のものと比較して、出入口６６を広くできたにもかかわらず、緊締面ファスナーが広い面積で露出しているので甲被に対する止着力が高いものであった。
【００１６】
【発明の効果】
本発明の発光靴１は、多様な部材を用いることなく、しかも、バンドの止着部に発光装置を取り付けたことによって、発光装置の出し入れが極めて簡単に行えるものである。
【図面の簡単な説明】
【図１】本発明の発光靴の側面図。
【図２】実施例１の止着具の背面図で、（ａ）は発光装置を収納保持する時の形態を、（ｂ）は発光装置を着脱する時の形態を、（ｃ）は封止用面ファスナーを縫着する前の形態を示す。
【図３】図２のＡ−Ａ線断面の説明図。
【図４】実施例２の止着具の背面図で、（ａ）は発光装置を収納保持する時の形態を、（ｂ）は発光装置を着脱する時の形態を示す。
【図５】図３のＢ−Ｂ線断面の説明図。
【図６】透明ケースを裏側からみた斜視図。
【図７】公知の発光靴。
【図８】公知の発光靴のＣ−Ｃ線断面の説明図。
【符号の説明】
１    発光靴
２    甲前部
３      止着部
５    側甲被（靴外側の甲被）
６    封止体
７    保持部材
８    透明ケース
９    発光装置
１０  リング
６１  緊締用面ファスナー
６２  封止用面ファスナー
６３  出入部
６４  切り込み
６６  出入口
【図１】
2005013314.tif 000003
【図２】
2005013314.tif 000004
【図３】
2005013314.tif 000005
【図４】
2005013314.tif 000006
【図５】
2005013314.tif 000007
【図６】
2005013314.tif 000008
【図７】
2005013314.tif 000009
【図８】
2005013314.tif 000010